(57)【要約】【課題】冷蔵庫の運転状況を正確に確認する。【解決手段】インバータ制御による回転数可変の圧縮機４と、凝縮器用ファンモータ６とを有する冷却装置により冷却された冷気を、庫内ファンモータ１２により冷凍・冷蔵室に送風循環する冷蔵庫である。圧縮機４への指令回転数、圧縮機４の回転数、凝縮器用ファンモータ６への指令回転数、凝縮器用ファンモータ６の回転数、凝縮器５を流通する冷媒の温度、庫内ファンモータ１２への指令回転数、庫内ファンモータ１２の回転数を順次繰り返して数値表示する。このとき、指令回転数と負荷との関係を示す表等をその数値表示部の近傍に設けたり、取り扱い説明書等にその表等を記載したりすれば、冷蔵庫１の運転状況を正確に確認することができる。【選択図】図５
2009127969.tif 000002
【特許請求の範囲】
【請求項１】
インバータ制御により回転数を可変できる圧縮機（４）と、凝縮器（５）を冷却する凝縮器用ファンモータ（６）とを有する冷却装置と、その冷却装置により冷却された冷気を送風循環する庫内ファンモータ（１２）とを備えた冷蔵庫において、前記圧縮機（４）への指令回転数を表示手段（１７，１８）でもって数値で表示することを特徴とする冷蔵庫。
【請求項２】
前記凝縮器用ファンモータ（６）をインバータ制御により回転数を可変できるようにし、その凝縮器用ファンモータ（６）への指令回転数を表示手段（１７，１８）でもって表示する請求項１に記載の冷蔵庫。
【請求項３】
前記庫内ファンモータ（１２）をインバータ制御により回転数を可変できるようにし、前記庫内ファンモータ（１２）への指令回転数を表示手段（１７，１８）でもって表示する請求項１又は２に記載の冷蔵庫。
【請求項４】
前記圧縮機（４）の回転数を測定する回転数測定手段を設け、その回転数測定手段により測定された回転数を表示手段（１７，１８）でもって数値で表示する請求項１から３のいずれかに記載の冷蔵庫。
【請求項５】
前記凝縮器用ファンモータ（６）の回転数を測定する回転数測定手段を設け、その回転数測定手段により測定された回転数を表示手段（１７，１８）でもって表示する請求項１から４のいずれかに記載の冷蔵庫。
【請求項６】
前記庫内ファンモータ（１２）の回転数を測定する回転数測定手段を設け、その回転数測定手段により測定された回転数を表示手段（１７，１８）でもって表示する請求項１から５のいずれかに記載の冷蔵庫。
【請求項７】
前記凝縮器（５）を流通する冷媒の温度を測定する冷媒温度測定手段（１５）を設け、その冷媒温度測定手段（１５）により測定された冷媒の温度を表示手段（１７，１８）でもって表示する請求項１から６のいずれかに記載の冷蔵庫。
【請求項８】
前記圧縮機（４）への指令回転数と、前記凝縮器用ファンモータ（６）への指令回転数と、前記庫内ファンモータ（１２）への指令回転数と、前記圧縮機（４）の回転数と、前記凝縮器用ファンモータ（６）の回転数と、前記庫内ファンモータ（１２）の回転数と、冷媒の温度とのうちの２つ以上のいくつかを順次繰り返して表示する請求項２から７のいずれかに記載の冷蔵庫。
【発明の詳細な説明】
【技術分野】
【０００１】
この発明は、運転状況を表示する表示手段を備えた冷蔵庫に関する。
【背景技術】
【０００２】
冷蔵庫は、通常、気体の冷媒を圧縮機で圧縮し、凝縮器で冷却して圧力が高い液体をつくり、膨張弁で圧力を下げ、蒸発器で低温で気化させ気化熱で熱を奪い取る冷凍サイクルを備え、庫内の空気を前記蒸発器に循環させ、その蒸発器において循環空気から前記気化熱で熱を奪い取って庫内を冷却する。
この種の冷蔵庫において、近年、前記圧縮機の回転数をインバータ制御により可変するものが知られている。
【０００３】
この冷蔵庫は、圧縮機に対し回転数を加速させるための指令を出すことにより、圧縮機の回転数を高めて庫内の温度を設定温度に素早く冷却することができる。一方、庫内の温度が設定温度に達した後は、圧縮機に対し回転数を減速させるための指令を出すことにより、圧縮機の回転数を低めて、省エネを図っている。
【０００４】
ここで、上記冷凍サイクルを有する冷蔵庫の運転負荷は、主に、圧縮機の駆動負荷に依存し、その負荷は回転数に比例する。
そのため、この冷蔵庫は、圧縮機への指令回転数を予測運転負荷として算出し、その算出された予測運転負荷を表示している。また、圧縮機の実際の回転数を運転負荷として算出し、その算出された運転負荷を表示している（特許文献１  段落００６１〜００６２  図９、特許文献２要約参照）。このようにして、この冷蔵庫は、その運転状況を使用者に知らしている。
【特許文献１】特開２００５−３００１００号公報
【特許文献２】再公表２００５−０２６６３２号公報
【発明の開示】
【発明が解決しようとする課題】
【０００５】
しかし、上記運転負荷の表示は、その負荷の大小をバーの長さで単に示すものであったり（特許文献１）、大中小の楕円で表示するものであったり（特許文献２）するため、冷蔵庫の運転状況を正確に確認することができない。
また、冷蔵庫の負荷は、圧縮機の回転数のみによって決定されるものではなく、凝縮器用ファンモータやその冷媒の温度、庫内ファンモータによっても左右される。例えば、圧縮機のファンモータが正常に回っていなければ、冷媒から円滑に放熱されず、円滑な凝縮作用がなされない。また、庫内ファンモータが正常でなければ、冷気が庫内を円滑に循環できない。このようなファンモータ等が正常でない場合、円滑な冷却が行われないこととなり、冷蔵庫の実際の負荷は、圧縮機の回転数に基づく計算による負荷に比べて大きくなる。
【０００６】
この発明は、このような状況の下、冷蔵庫の運転状況を正確に確認することができるようにすることを課題とする。
【課題を解決するための手段】
【０００７】
上記課題を解決するために、この発明は、インバータ制御により回転数を可変できる圧縮機への指令回転数を数値で表示するようにしたのである。このとき、指令回転数と負荷との関係は、その関係を示す表等をその数値表示部の近傍に設けておくとよいが、それができない場合は、取り扱い説明書等にその表等を記載して、使用者（ユーザ）に知らしめる。
このようにすると、圧縮機への実際の指令回転数が数値で示されるので、冷蔵庫の運転状況（負荷の大小）を正確に確認することができる。
【０００８】
この発明の構成としては、インバータ制御により回転数を可変できる圧縮機と、凝縮器を冷却する凝縮器用ファンモータとを有する冷却装置と、その冷却装置により冷却された冷気を送風循環する庫内ファンモータとを備えた冷蔵庫において、圧縮機への指令回転数を表示手段でもって数値で表示する構成を採用することができる。
【０００９】
この構成において、前記凝縮器用ファンモータをインバータ制御により回転数を可変できるようにし、その凝縮器用ファンモータへの指令回転数を表示手段でもって表示したり、前記庫内ファンモータをインバータ制御により回転数を可変できるようにし、その庫内ファンモータへの指令回転数を表示手段でもって表示したりすることができる。これらの指令回転数表示は、いずれか又は両方を採用することができる。
通常、これらの指令回転数で前記ファンモータは回転駆動するので、その指令回転数を表示すれば、冷蔵庫における凝縮器用ファンモータ等の予測運転負荷を知ることができる。従って、これらの指令回転数表示と、上記圧縮機への指令回転数の数値とを表示すれば、凝縮器用ファンモータ等の駆動負荷を加味した冷蔵庫の予測運転負荷についての情報を得ることができる。すなわち、より多くの予測運転負荷についての情報を得ることができる。これらの指令回転数表示は、数値等によって表示することができる。
【００１０】
これらの構成において、圧縮機の回転数を測定する回転数測定手段を設けたり、凝縮器用ファンモータの回転数を測定する回転数測定手段を設けたり、凝縮器を流通する冷媒の温度を測定する冷媒温度測定手段を設けたり、庫内ファンモータの回転数を測定する回転数測定手段を設けたりすることができる。これらの各手段は、その１つから４つのいずれかを選択的に採用することができる。
これらの各測定値は、数値等によって表示することができ、その表示と、圧縮機等への指令回転数とを比較することができるので、圧縮機等の不具合を知ることができる。例えば、圧縮機等への指令回転数に対し実際の回転数が少ない時には、圧縮機等が正常に作動していないこととなる。
【００１１】
また、冷媒の温度と、凝縮器用ファンモータの回転数とを比較することができるので、凝縮器用ファンモータの不具合を知ることができる。例えば、冷媒温度測定手段により測定された冷媒の温度が高いにもかかわらず、凝縮器用ファンモータの回転数が低いときは、凝縮器用ファンモータが正常に作動していないといえる。
【００１２】
なお、前記圧縮機への指令回転数と、前記圧縮機の実際の回転数と、前記凝縮器用ファンモータへの指令回転数と、前記凝縮器用ファンモータの実際の回転数と、前記庫内ファンモータへの指令回転数と、前記庫内ファンモータの実際の回転数と、冷媒の温度とは、それぞれ別々の表示手段で表示しても良いが、それらを順次繰り返して表示すると、１つの表示手段で表示することができるので、表示手段が削減でき、製造コストが少なくて済む。これらの各表示は、その２つから７つのいずれかを選択的に採用することができる。
【発明の効果】
【００１３】
以上のように、この発明の冷蔵庫によれば、圧縮機への指令回転数や圧縮機の実際の回転数等を数値で表示するので、その運転状況を正確に確認することができる。
【発明を実施するための最良の形態】
【００１４】
この発明の一実施形態を図面を参照しながら説明する。図１は、この実施形態における冷蔵庫１の縦断側面図であり、図１に示すように、この冷蔵庫１は、前面に前扉２が設けられた冷蔵庫本体３と、冷蔵庫本体３の外部上面に、インバータ制御により回転数を可変できる圧縮機４と、凝縮器５を冷却する凝縮器用ファンモータ６等とから構成される冷却装置と、その冷却装置の駆動を制御する冷却制御装置７とを備えている。
【００１５】
冷蔵庫本体３は、上段に冷凍室８を下段に冷蔵室（図示せず）を有しており、冷凍室８は、冷凍室温度センサ９が設置され、冷蔵室には、冷蔵室温度センサ（図示せず）が設置されている。冷凍室８内の上面には、冷却室１０が設けられ、その冷却室１０は、蒸発器１１と、庫内ファンモータ１２が設けられている。その庫内ファンモータ１２の作動により、冷却室１０と冷凍室８の間で空気循環がなされ、その循環に伴って流入口１３から冷却室１０に流入した空気が蒸発器１１により冷却され、その冷却された空気（冷気）が排出口１４から冷凍室８に排出される。
【００１６】
圧縮機４と凝縮器５と蒸発器１１とは、図示せぬ配管で繋がって冷凍サイクルを構成しており、そのサイクル配管内を冷媒が流れている。この冷凍サイクルは、冷凍室８用と冷蔵室用に別々に設けられているが、凝縮器は兼用している。
【００１７】
圧縮機４は、インバータを介して電力が供給され、そのインバータで供給電力を制御することにより、ファンモータの回転数を変化可能となっている。圧縮機４の回転数を高めると、冷媒の循環量が増すので素早く冷凍室８を冷凍することができ、一方、冷凍室８の温度が設定温度に達した後は、圧縮機４の回転数を低めることにより、省エネを図ることができる。この圧縮機４には、その実際の回転数を測定するための回転数センサ（図示せず）を備えている。
【００１８】
凝縮器５は、凝縮器用ファンモータ６により取り込まれた外気で冷却されて、冷媒を凝縮する。凝縮器５には、冷媒温度センサ１５が設置されており、その冷媒温度センサ１５により、凝縮器５を通過する冷媒の温度が測定される。凝縮器用ファンモータ６には、インバータを介して電力が供給され、そのインバータで供給電力を制御することにより、ファンモータの回転数を変化可能となっている。凝縮器用ファンモータ６の回転数を高めると、凝縮器５に当たる外気の量が増し、凝縮器５を素早く冷却することができる。また、凝縮器用ファンモータ６にも、その実際の回転数を測定するための回転数センサ（図示せず）を備えている。
【００１９】
冷凍室８の庫内ファンモータ１２と冷蔵室の庫内ファンモータ（図示せず）には、インバータを介して電力が供給され、そのインバータで供給電力を制御することにより、ファンモータの回転数を変化可能となっている。庫内ファンモータ１２の回転数を高めると、排出口１４から冷凍室８に送風される空気の量が増し、冷凍室８を素早く冷やすことができる。また、冷凍室８側の庫内ファンモータ１２と冷蔵室側の庫内ファンモータ（図示せず）は、その実際の回転数を測定するための回転数センサ（図示せず）を備えている。
【００２０】
図２に、冷蔵庫１の冷却制御装置７の一制御システムを示す。この冷却制御装置７には、冷凍室温度センサ９と、冷蔵室温度センサと、冷媒温度センサ１５と、圧縮機４と、凝縮器用ファンモータ６と、庫内ファンモータ１２と、操作パネル１６とが接続されている。
【００２１】
冷却制御装置７は、圧縮機４用のインバータに指令回転数を出力し、インバータは、その指令回転数で圧縮機４が回転するように、圧縮機４への供給電力を制御する。同様に、凝縮器用ファンモータ６用のインバータと庫内ファンモータ１２用のインバータに指令回転数を出力し、供給電力を制御する。
【００２２】
冷凍室温度センサ９と冷蔵室温度センサと冷媒温度センサ１５は、サーミスタ等の素子により形成され、温度に応じて出力電圧を変化させ、その電圧に応じた出力信号を冷却制御装置７に入力する。一方、冷却制御装置７は、冷凍室温度センサ９からの出力信号と冷蔵室温度センサからの出力信号に基づいて、冷凍室８の温度と冷蔵室の温度と冷媒温度とを操作パネル１６に表示する。
【００２３】
各回転数センサは、回転速度に応じて出力電圧を変化させ、その電圧に応じた出力信号を冷却制御装置７に入力する。一方、冷却制御装置７は、前記出力信号に基づいて、圧縮機４の回転数と凝縮器用ファンモータ６の回転数と庫内ファンモータ１２の回転数とを数値で操作パネル１６に表示する。また、冷却制御装置７は、圧縮機４への指令回転数を数値で操作パネル１６に表示する。
【００２４】
操作パネル１６は、冷蔵庫本体３の前扉２側に設けられており、図３に示すように、冷凍室温度表示部１７と、冷蔵室温度表示部１８と、凝縮器フィルターの目詰まりを警告するフィルター表示部１９と、周囲温度の上昇を警告する高温表示部２０と、冷凍室８の設定温度と冷蔵室の設定温度を変更するための強弱設定ボタン２１と、除霜ボタン２２と、防露ボタン２３と、切換ボタン２４とを有している。
【００２５】
切換ボタン２４は、温度表示部１７，１８に表示される温度表示を、圧縮機４への指令回転数の表示と、圧縮機４の回転数の表示と、凝縮器用ファンモータ６の回転数の表示と、冷媒の温度表示と、庫内ファンモータ１２の回転数の表示と相互に切り換える。このとき、冷凍室８側の冷凍サイクルに関連する表示は、冷凍室温度表示部１７に表示され、冷蔵室側の冷凍サイクルに関連する表示は、冷蔵室温度表示部１８に表示される。また、凝縮器５は冷凍室８用と冷蔵室用に兼用しているので、凝縮器用ファンモータ６への指令回転数と凝縮器用ファンモータ６の実際の回転数と冷媒の温度とは、冷凍室温度表示部１７と冷蔵室温度表示部１８の両方に表示され同じ値である。
【００２６】
図４に、冷却制御装置７による制御システムのフローチャートを示す。通常、冷凍室温度センサ９と冷蔵室温度センサからの出力信号に基づいて、冷凍室８の温度と冷蔵室の温度を操作パネル１６の温度表示部１７，１８に表示させる（Ｓ１）。
【００２７】
この冷凍室８の温度と冷蔵室の温度を表示している状態において、冷凍室８の温度と冷凍室８の設定温度を比較すると共に、冷蔵室の温度と冷蔵室の設定温度を比較し、冷凍室８または冷蔵室の温度が設定温度よりも高いときは処理をＳ３に移し、冷凍室８または冷蔵室の温度が設定温度以下のときは処理をＳ６に移す（Ｓ２）。
【００２８】
その冷凍室８の温度または冷蔵室の温度が設定温度よりも高いときは、圧縮機４用のインバータに出力する指令回転数を大きくする。同様に、凝縮器用ファンモータ６と庫内ファンモータ１２の指令回転数も大きくする（Ｓ３）。このとき、冷凍室８の温度または冷蔵室の温度が設定温度よりも低くなるまで、冷凍室温度センサ９または冷蔵室温度センサからの出力信号に基づいて、冷凍室８の温度または冷蔵室の温度を温度表示部１７，１８に表示させる（Ｓ４，Ｓ５）。冷凍室８の温度または冷蔵室の温度が設定温度よりも低くなれば、処理をＳ２に戻す（Ｓ４）。
【００２９】
冷凍室８の温度または冷蔵室の温度が設定温度よりも低くなれば、圧縮機４用のインバータに出力する指令回転数を小さくする。同様に、凝縮器用ファンモータ６と庫内ファンモータ１２の指令回転数も小さくして（Ｓ６）、消費電力を最小限に抑える。このとき、冷凍室８の温度と冷蔵室の温度が設定温度よりも高くなるまで、冷凍室温度センサ９と冷蔵室温度センサからの出力信号に基づいて、冷凍室８の温度と冷蔵室の温度を温度表示部１７，１８に表示させる（Ｓ７，Ｓ８）。冷凍室８の温度または冷蔵室の温度が設定温度よりも高くなれば、処理をＳ２に戻す（Ｓ７）。
【００３０】
次に、切換ボタン２４の操作による温度表示部１７，１８の表示を、その操作に基づく冷却制御装置７による制御システムのフローチャートを示す図５に基づき説明する。操作パネル１６は、上記のように、通常、冷凍室８の温度を冷凍室温度表示部１７に表示し、冷蔵室の温度を冷蔵室温度表示部１８に表示している。
【００３１】
この状態から切換ボタン２４が押されると、圧縮機４への指令回転数を温度表示部１７，１８に表示させる（Ｓ９）。この状態で切換ボタン２４が押されずに、所要時間、例えば３０秒続くと、処理Ｓ１に戻る（Ｓ１０）。一方、この状態から切換ボタン２４が所要時間以内に押されると、圧縮機４からの出力信号に基づいて圧縮機４の実際の回転数を温度表示部１７，１８に表示させる（Ｓ１０,Ｓ１１）。これにより、圧縮機４への指令回転数と、圧縮機４の実際の回転数とを比較することができるので、圧縮機４の不具合を知ることができる。例えば、圧縮機４の実際の回転数が圧縮機４への指令回転数よりも低いときは、圧縮機４が正常に作動していないといえる。
【００３２】
この状態で切換ボタン２４が押されずに所要時間続くと、処理Ｓ１に戻る（Ｓ１２）。一方、この状態から切換ボタン２４が所要時間以内に押されると、凝縮器用ファンモータ６への指令回転数を温度表示部１７，１８に表示させる（Ｓ１２,Ｓ１３）。この状態で切換ボタン２４が押されずに所要時間続くと、処理Ｓ１に戻る（Ｓ１４）。一方、この状態から所要時間以内に切換ボタン２４が押されると、凝縮器用ファンモータ６からの出力信号に基づいて凝縮器用ファンモータ６の実際の回転数を温度表示部１７，１８に表示させる（Ｓ１４,Ｓ１５）。これにより、凝縮器用ファンモータ６への指令回転数と、凝縮器用ファンモータ６の実際の回転数とを比較することができるので、凝縮器用ファンモータ６の不具合を知ることができる。例えば、凝縮器用ファンモータ６の実際の回転数が、凝縮器用ファンモータ６への指令回転数よりも低いときは、凝縮器用ファンモータ６が正常に作動していないといえる。
【００３３】
さらに、この状態で切換ボタン２４が押されずに所要時間続くと、処理Ｓ１に戻る（Ｓ１６）。一方、この状態から所要時間以内に切換ボタン２４が押されると、冷媒温度センサ１５からの出力信号に基づいて、冷媒の温度を温度表示部１７，１８に表示させる（Ｓ１６,Ｓ１７）。これにより、冷媒の温度と、凝縮器用ファンモータ６の回転数とを比較することができるので、凝縮器用ファンモータ６の不具合を知ることができる。例えば、冷媒温度センサにより測定された冷媒の温度が高いにもかかわらず、凝縮器用ファンモータ６の回転数が低いときは、凝縮器用ファンモータ６が正常に作動していないといえる。
【００３４】
さらに、この状態で切換ボタン２４が押されずに所要時間続くと、処理Ｓ１に戻る（Ｓ１８）。一方、この状態から所要時間以内に切換ボタン２４が押されると、庫内ファンモータ１２への指令回転数を温度表示部１７，１８に表示させる（Ｓ１８，Ｓ１９）。
さらに、この状態で切換ボタン２４が押されずに所要時間続くと、処理Ｓ１に戻る（Ｓ２０）。一方、この状態から所要時間以内に切換ボタン２４が押されると、庫内ファンモータ１２からの出力信号に基づいて、庫内ファンモータ１２の実際の回転数を温度表示部１７，１８に表示させる（Ｓ２０,Ｓ２１）。これにより、庫内ファンモータ１２への指令回転数と、庫内ファンモータ１２の実際の回転数とを比較することができるので、庫内ファンモータ１２の不具合を知ることができる。例えば、庫内ファンモータ１２の実際の回転数が、庫内ファンモータ１２への指令回転数よりも低いときは、庫内ファンモータ１２が正常に作動していないといえる。
さらに、この状態で切換ボタン２４が押されずに所要時間続くと、処理Ｓ１に戻る（Ｓ２２）。一方、この状態から所要時間以内に切換ボタン２４が押されると、処理Ｓ９に戻る（Ｓ２２）。
【００３５】
この冷蔵庫１は、以上のようにして、切換ボタン２４を順次所要時間内に押すことにより、圧縮機４への指令回転数と、圧縮機４の実際の回転数と、凝縮器用ファンモータ６への指令回転数と、凝縮器用ファンモータ６の回転数と、冷媒の温度と、庫内ファンモータ１２への指令回転数と、庫内ファンモータ１２の回転数とが順次繰り返して数値表示される。これにより、冷蔵庫１の運転状況を、圧縮器４の回転数のみならず、凝縮器用ファンモータ６等の他の機器の回転数などでもって知ることができるため、その状況を正確に確認することができる。また、順次繰り返して表示することにより、１つの温度表示部１７，１８で表示することができるので、温度表示部を削減でき製造コストが少なくて済む。
【００３６】
また、この冷蔵庫１は、圧縮機４や凝縮器用ファンモータ６や庫内ファンモータ１２の不具合を知ることができるので、メンテナンス性を向上させることができる。
【００３７】
上記実施形態では、凝縮器用ファンモータ６と庫内ファンモータ１２をインバータ制御によりその回転数を可変としたが、可変とせずに、その両回転数を一定としてもよい。
【００３８】
また、上記実施形態では、圧縮機４への指令回転数、圧縮機４の実際の回転数、凝縮器用ファンモータ６への指令回転数、凝縮器用ファンモータ６の実際の回転数、冷媒の温度、庫内ファンモータ１２への指令回転数、庫内ファンモータ１２の実際の回転数の順に温度表示部１７，１８に表示させたが、順序はいずれでもよい。順次表示する場合、圧縮機４への指令回転数と圧縮機４の実際の回転数、凝縮器用ファンモータ６への指令回転数と凝縮器用ファンモータ６の実際の回転数と冷媒の温度、庫内ファンモータ１２への指令回転数と庫内ファンモータ１２の実際の回転数は、それぞれ隣り合う順序だと比較しやすい。
【００３９】
さらに、上記実施形態では、凝縮器用ファンモータ６への指令回転数と、凝縮器用ファンモータ６の実際の回転数と、冷媒の温度と、庫内ファンモータ１２への指令回転数と、庫内ファンモータ１２の実際の回転数とを数値で表示したが、上記数値表示に限定されるものではなく、上記回転数表示や冷媒の温度を、バーの長さで表示したり、大中小の楕円で表示したりしてもよい。
【００４０】
また、上記実施形態では、冷凍室８用と冷蔵室用にそれぞれ別々の冷凍サイクルを備えていたが、１つの冷凍サイクルだけでもよい。このとき、圧縮機４への指令回転数と、圧縮機４の実際の回転数と、凝縮器用ファンモータ６への指令回転数と、凝縮器用ファンモータ６の実際の回転数と、冷媒の温度と、庫内ファンモータ１２への指令回転数と、庫内ファンモータ１２の実際の回転数とは、冷凍室温度表示部１７または冷蔵室温度表示部１８のどちらか一方に表示すれば足りる。
また、上記実施形態では、圧縮機４への指令回転数と、圧縮機４の実際の回転数と、凝縮器用ファンモータ６への指令回転数と、凝縮器用ファンモータ６の実際の回転数と、冷媒の温度と、庫内ファンモータ１２への指令回転数と、庫内ファンモータ１２の実際の回転数とを順次繰り返して表示したが、これらのうちの２つ以上のいくつかを順次繰り返して表示するようにしてもよい。
【００４１】
上記実施形態では、凝縮器５は、冷凍室８用と冷蔵室用に兼用されているが、冷凍室８用と冷蔵室用に別々に設けてもよい。
【図面の簡単な説明】
【００４２】
【図１】この発明に係る冷蔵庫の実施形態を示す縦断側面図
【図２】図１の冷蔵庫の冷却制御装置の一制御システムを示すブロック図
【図３】図１の冷蔵庫の運転状況を表示する表示器を示す正面図
【図４】冷却制御装置による制御システムのフローチャート
【図５】冷却制御装置による制御システムのフローチャート
【符号の説明】
【００４３】
４          圧縮機
５          凝縮器
６          凝縮器用ファンモータ
１２        庫内ファンモータ
１５        冷媒温度センサ
【図１】
2009127969.tif 000003
【図２】
2009127969.tif 000004
【図３】
2009127969.tif 000005
【図４】
2009127969.tif 000006
【図５】
2009127969.tif 000007